(57)【要約】  【課題】フレームを下部に備えた引出し扉の上下ばらつきのない安価な冷蔵庫を提供することを目的とする。  【解決手段】本体１の貯蔵室を区画形成する中仕切壁９と、食品収納ケース１０を載置するフレーム６が取付けられた引出し扉１６を前記貯蔵室に備え、中仕切壁９は上部仕切部材９ａと下部仕切部材９ｂとで囲まれた空間に断熱材２を充填発泡され、フレーム６を下方より支持する第一の突起形状１３を上部仕切部材９ａに一体成形したものであり、引出し扉１６の上下ばらつきのない安価な冷蔵庫を提供することができる。【選択図】図１
2007085695.tif 000002
【特許請求の範囲】
【請求項１】
外箱と内箱とで囲まれた空間に充填発泡した断熱材とで形成した本体と、前記本体の貯蔵室を区画形成する中仕切壁と、食品収納ケースを載置するフレームが取付けられた引出し扉を前記貯蔵室に備え、前記中仕切壁は上部仕切部材と下部仕切部材とで囲まれた空間に断熱材を充填発泡され、前記フレームを下方より支持する第一の突起形状を前記仕切部材に一体成形したことを特徴とする冷蔵庫。
【請求項２】
前記仕切部材に形成する前記フレームの側面をガイドする第二の突起形状は、前記第一の突起形状とは独立して成形していることを特徴とする請求項１に記載の冷蔵庫。
【発明の詳細な説明】
【技術分野】
【０００１】
本発明は、冷蔵庫に係り、特に引出し扉に関するものである。
【背景技術】
【０００２】
近年、冷蔵庫は、食品収納ケースを載置するフレームを下方より支持する部材にローラを使用することが通常となってきている（例えば、特許文献１参照）。
【０００３】
以下、図面を参照しながら、上記従来の冷蔵庫について説明する。
【０００４】
図３および４は、特許文献１に記載された従来の冷蔵庫の引出し扉装置を示す断面図である。
【０００５】
図において、１は冷蔵庫本体、２は内箱３と外箱４との間に充填された断熱材、５は内箱３の両側壁へ一対に固定されたレール部であり、フレーム６の後部へ設けた移動ローラ７が摺動する。８は下側中仕切壁９の両端に埋設された本体側固定ローラで、軸８ａを介して下側中仕切壁９へ取付けられフレーム６の第１フランジ部６ａが摺動する。１０は左右のフレーム６の第２フランジ部６ｂの内側および第１フランジ部の上に載置されたケース１０で、ケース１０の両側下側コーナー部を覆うようにフレーム６が略Ｌ字状で位置している。
【０００６】
１１は下側中仕切壁９の両端へ埋設された固定ローラ収納部であるローラ収納ボックスで、本体側固定ローラ８は、ローラ収納ボックス１１の爪１１ａで係合された軸８ａを介してローラ収納ボックス１１へ取付けられる。
【０００７】
また、１１ｃはローラボックス１１の前部横部に設けたＬ字状のリブで、引出し扉１６を引出したときの左右のブレをフレーム６と当接させることにより抑制している。
【特許文献１】特開２０００−２４８０号公報
【発明の開示】
【発明が解決しようとする課題】
【０００８】
しかしながら、上記従来の冷蔵庫では、下側中仕切壁にローラ収納ボックスを介して取付けられたローラと、レールとの組合せ寸法精度が悪くなり、引出し扉を引出したとき扉の位置が上下にばらつくという課題を有していた。また、部品点数が多くなり、コストがかかるという課題を有していた。
【０００９】
本発明は上記従来の課題を解決するものであり、引出し扉の上下ばらつきのない安価な冷蔵庫を提供することを目的とする。
【課題を解決するための手段】
【００１０】
上記従来の課題を解決するために、本発明の冷蔵庫は、外箱と内箱とで囲まれた空間に充填発泡した断熱材とで形成した本体と、前記本体の貯蔵室を区画形成する中仕切壁と、食品収納ケースを載置するフレームが取付けられた引出し扉を前記貯蔵室に備え、前記中仕切壁は上部仕切部材と下部仕切部材とで囲まれた空間に断熱材を充填発泡され、前記フレームを下方より支持する第一の突起形状を前記仕切部材に一体成形したものである。
【００１１】
これにより、本体と中仕切壁とに充填された断熱材で固定され寸法精度が高まり、また中仕切壁より一体に成形された第一と第二の突起を設けることによって、ローラとローラ収納ボックスを無くすこととなり部品の数を減らすことができる。
【発明の効果】
【００１２】
本発明の冷蔵庫は、引出した扉の上下ばらつきのない安価な冷蔵庫を提供することができる。
【発明を実施するための最良の形態】
【００１３】
請求項１に記載の発明は、外箱と内箱とで囲まれた空間に充填発泡した断熱材とで形成した本体と、前記本体の貯蔵室を区画形成する中仕切壁と、食品収納ケースを載置するフレームが取付けられた引出し扉を前記貯蔵室に備え、前記中仕切壁は上部仕切部材と下部仕切部材とで囲まれた空間に断熱材を充填発泡され、前記フレームを下方より支持する第一の突起形状を前記仕切部材に一体成形したものであり、本体と中仕切壁とに充填された断熱材で固定され寸法精度が高まり、また中仕切壁より一体に成形された第一の突起を設けることによって、ローラとローラ収納ボックスを無くすこととなり部品の数を減らすことができ、引出し扉の上下ばらつきのない、そして安価な冷蔵庫を提供することができる。
【００１４】
請求項２に記載の発明は、請求項１に記載の発明において、前記仕切部材に形成する前記フレームの側面をガイドする第二の突起形状は、前記第一の突起形状とは独立して成形しているものであり、収納ケースに大きな荷重が加わったとき変形は第一の突起のみで第二の突起に変形が伝わらないので正しいガイドが行われ引出し扉が左右にブレない冷蔵庫を提供することができる。
【００１５】
以下、本発明の実施の形態について、図面を参照しながら説明する。なお、この実施の形態によってこの発明が限定されるものではない。
【００１６】
（実施の形態１）
図１は本発明の実施の形態１における冷蔵庫の引出し扉装置の部分縦断面図、図２は本発明の実施の形態１における冷蔵庫の引出し扉装置の部分側断面図である。
【００１７】
図１から図２において、１は冷蔵庫本体、２は内箱３と外箱４との間に充填された断熱材、５は内箱３の両側壁へ一対に固定されたレール部であり、フレーム６の後部へ設けた移動ローラ７が摺動する。下側中仕切壁９は貯蔵室１２側の上部仕切部材９ａと下部仕切部材９ｂとの間に充填された断熱材２から成り、本体ととともに断熱材２で一体に構成している。１３は貯蔵室１２側の上部仕切部材９ａから一体に成形された第一の突起形状で下側中仕切壁９の両端近傍に配置されているもので、フレーム６の第１フランジ部６ａが摺動する。１０は左右のフレーム６の第２フランジ部６ｂの内側および第１フランジ部の上に載置されたケースで、ケース１０の両側下側コーナー部を覆うようにフレーム６が略Ｌ字状で位置している。
【００１８】
以上のように構成された冷蔵庫について、以下その動作、作用を説明する。
【００１９】
冷蔵庫本体１と下側中仕切９は断熱材２の一体発泡なのでがたつきがなく、下側中仕切壁９も断熱材２の一体発泡であるためたわみがない。従ってレール部５と第１の突起形状との寸法関係はばらつかないので引出した扉の上下ばらつきのない冷蔵庫を提供できる。また、第１の突起形状１３は貯蔵室１２側の上部仕切部材９ａから一体に成形されているので１部品で構成でき部品の数を減らすことができるので安価な冷蔵庫を提供できるという効果がある。
【００２０】
また、１４は貯蔵室１２側の上部仕切部材９ａから一体に成形された第２の突起形状で下側中仕切壁９の両端に配置されているもので、第１の突起形状１３とは独立して成形しているので、収納ケースに大きな荷重が加わったとき変形は第１の突起形状のみで第２の突起形状に変形が伝わらないので正しいガイドが行われ引出し扉が左右にブレない冷蔵庫を提供することができる。
【産業上の利用可能性】
【００２１】
以上のように本発明の冷蔵庫は、引き出した扉の上下ばらつきのない安価な冷蔵庫を提供できるので、キッチン家具や家具など引き出し扉を備えた冷却機器以外の対象にも適用できる。
【図面の簡単な説明】
【００２２】
【図１】本発明の実施の形態１における冷蔵庫の引出し扉装置の部分縦断面図
【図２】本発明の実施の形態１における冷蔵庫の引出し扉装置の部分側断面図
【図３】従来の冷蔵庫の引出し扉装置の部分縦断面図
【図４】従来の冷蔵庫の引出し扉装置の部分側断面図
【符号の説明】
【００２３】
１    冷蔵庫本体
２    断熱材
３    内箱
４    外箱
５    レール部
６    フレーム
６ａ  第１フランジ部
６ｂ  第２フランジ部
７    移動ローラ
９    下側中仕切壁
９ａ  上部仕切部材
９ｂ  下部仕切部材
１０  ケース
１３  第一の突起形状
１４  第二の突起形状
１６  引出し扉
【図１】
2007085695.tif 000003
【図２】
2007085695.tif 000004
【図３】
2007085695.tif 000005
【図４】
2007085695.tif 000006